【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
操作手段を介して入力されたＸ線撮影に用いるパラメータを取得する取得手段と、
前記パラメータが入力された操作手段を複数の操作手段の中から判別する判別手段と、
前記判別された操作手段に操作権を設定する設定手段と、
前記操作権が設定された操作手段以外の操作手段を介して入力される前記パラメータに基づくＸ線撮影動作を制限する制限手段と
を有することを特徴とするＸ線撮影装置。
【請求項２】
前記制限手段は、
前記設定手段により前記操作権が設定された操作手段以外の操作手段を介して入力された、Ｘ線照射を開始するための開始指示の取得を制限することを特徴とする請求項１に記載のＸ線撮影装置。
【請求項３】
前記制限手段は、
前記設定手段により前記操作権が設定された操作手段以外の操作手段を介して入力された、前記パラメータの取得を制限することを特徴とする請求項１に記載のＸ線撮影装置。
【請求項４】
Ｘ線の照射を開始するための開始指示に従って、被検体のＸ線撮影が開始された後、Ｘ線撮影が終了すると、前記制限手段は、前記制限を解除することを特徴とする請求項１に記載のＸ線撮影装置。
【請求項５】
操作手段を介して解除の指示が入力された場合に、前記制限手段は、前記制限を解除することを特徴とする請求項１に記載のＸ線撮影装置。
【請求項６】
操作手段を介して解除の指示が入力された場合に、前記制限手段は、該解除の指示の入力が行われた操作手段についての前記制限を解除することを特徴とする請求項１に記載のＸ線撮影装置。
【請求項７】
前記制限手段により取得が制限されている操作手段上の操作を、該操作手段上に表示するよう制御する表示制御手段を更に備えることを特徴とする請求項１に記載のＸ線撮影装置。
【請求項８】
前記パラメータは、Ｘ線センサまたはＸ線発生装置を制御するために用いられるパラメータ及び指示を含むことを特徴とする請求項１に記載のＸ線撮影装置。
【請求項９】
前記判別手段は、前記パラメータが最初に入力された操作手段を、前記複数の操作手段の中から判別することを特徴とする請求項１に記載のＸ線撮影装置。
【請求項１０】
前記制限手段は、Ｘ線センサとＸ線発生装置のうちの少なくともいずれか一方のＸ線撮影動作を制限することを特徴とする請求項９に記載のＸ線撮影装置。
【請求項１１】
前記設定手段は、第１の操作手段に操作権が設定されている場合に、前記取得手段が、第２の操作手段を介して入力されたパラメータを取得した場合には、前記第１の操作手段に代えて前記第２の操作手段に操作権を設定し、
前記制限手段は、前記第２の操作手段以外の操作手段からのＸ線照射を開始するための開始指示によってＸ線発生装置にＸ線照射を開始させないよう制限することを特徴とする請求項１に記載のＸ線撮影装置。
【請求項１２】
前記制限手段は、前記取得手段が、操作権が設定されていない操作パネルから、ＣアームまたはＸ線発生装置のコリメータの制御に用いられるパラメータを取得した場合に、該Ｃアームまたは該コリメータの制御を制限しないよう構成されていることを特徴とする請求項１に記載のＸ線撮影装置。
【請求項１３】
被検体にＸ線を照射し、該被検体を撮影することにより得られた撮影画像を処理するＸ線画像診断装置であって、
操作パネルを介して入力されたＸ線撮影パラメータを受信する受信手段と、
前記受信手段がＸ線撮影パラメータを受信した場合に、２以上の操作パネルのうちのいずれの操作パネルから、該Ｘ線撮影パラメータを受信したかを識別する識別手段と、
前記識別手段により識別された操作パネル以外の操作パネルから受信したＸ線撮影パラメータに基づいて撮影を実行することを制限する制限手段と、を備え、
解除指示が操作パネルを介して入力された場合に、前記制限手段は、前記解除指示が入力された操作パネルに対する前記制限を解除することを特徴とするＸ線画像診断装置。
【請求項１４】
被検体にＸ線を照射し、該被検体を撮影することにより得られた撮影画像を処理するＸ線画像診断装置であって、
操作パネルを介して入力されたＸ線撮影パラメータを受信する受信手段と、
複数の操作パネルのうち、受信したＸ線撮影パラメータが入力された操作パネルを判定する判定手段と、
前記判定手段により判定された前記操作パネルに対する操作権を設定する設定手段と、
前記設定手段により操作権が設定された前記操作パネル以外の操作パネルを介して入力されたＸ線撮影パラメータに基づいて撮影を実行することを制限する制限手段と、を備え、
前記Ｘ線撮影パラメータは、Ｘ線センサまたはＸ線発生装置を制御するのに用いられるパラメータ及び指示のうちの少なくとも１つであることを特徴とするＸ線画像診断装置。
【請求項１５】
被検体にＸ線を照射し、該被検体を撮影することにより得られた撮影画像を処理するＸ線画像診断装置であって、
操作パネルを介して入力されたＸ線撮影パラメータを受信する受信手段と、
複数の操作パネルのうち、受信したＸ線撮影パラメータが入力された操作パネルを判定する判定手段と、
前記判定手段により判定された前記操作パネルに対する操作権を設定する設定手段と、
前記設定手段により操作権が設定された前記操作パネル以外の操作パネルを介して入力されたＸ線撮影パラメータに基づいて撮影を実行することを制限する制限手段と、を備え、
前記制限手段は、前記受信手段が、操作権が設定されていない操作パネルから、ＣアームまたはＸ線発生装置のコリメータの制御に用いられるパラメータを受信した場合に、該Ｃアームまたは該コリメータの制御を制限しないよう構成されていることを特徴とするＸ線画像診断装置。
【請求項１６】
操作手段を介して入力されたＸ線撮影に用いるパラメータを取得する取得手段と、
前記パラメータが入力された操作手段を複数の操作手段の中から判別する判別手段と、
前記判別された操作手段に操作権を設定する設定手段と、
前記操作権が設定された操作手段以外の操作手段を介して入力される前記パラメータに基づくＸ線撮影動作を制限する制限手段と
を有することを特徴とする制御装置。
【請求項１７】
Ｘ線撮影装置の制御方法であって、
取得手段が、操作手段を介して入力されたＸ線撮影に用いるパラメータを取得する取得工程と、
判別手段が、前記パラメータが入力された操作手段を複数の操作手段の中から判別する判別工程と、
設定手段が、前記判別された操作手段に操作権を設定する設定工程と、
制限手段が、前記操作権が設定された操作手段以外の操作手段を介して入力される前記パラメータに基づくＸ線撮影動作を制限する制限工程と
を有することを特徴とするＸ線撮影装置の制御方法。
【請求項１８】
前記パラメータは、Ｘ線センサまたはＸ線発生装置を制御するために用いられるパラメータ及び指示を含むことを特徴とする請求項１７に記載のＸ線撮影装置の制御方法。
【請求項１９】
コンピュータを、請求項１乃至１２のいずれか１項に記載のＸ線撮影装置の各手段として機能させるためのプログラムを格納したコンピュータ読取可能な記憶媒体。
【手続補正２】
【補正対象書類名】明細書
【補正対象項目名】発明の名称
【補正方法】変更
【補正の内容】
【発明の名称】Ｘ線撮影装置、Ｘ線画像診断装置、制御装置および制御方法
【手続補正３】
【補正対象書類名】明細書
【補正対象項目名】００１２
【補正方法】変更
【補正の内容】
【００１２】
上記の目的を達成するために本発明に係るＸ線撮影装置は以下のような構成を備える。即ち、
操作手段を介して入力されたＸ線撮影に用いるパラメータを取得する取得手段と、
前記パラメータが入力された操作手段を複数の操作手段の中から判別する判別手段と、
前記判別された操作手段に操作権を設定する設定手段と、
前記操作権が設定された操作手段以外の操作手段を介して入力される前記パラメータに基づくＸ線撮影動作を制限する制限手段とを有することを特徴とする。